【手続補正書】
【提出日】平成27年11月24日(2015.11.24)
【手続補正１】
【補正対象書類名】明細書
【補正対象項目名】００８０
【補正方法】変更
【補正の内容】
【００８０】
実施例２
１部のＰＥＲＧＡＳＣＲＩＰＴレッドＩ−６Ｂ（ＢＡＳＦ、フローラムパーク、ＮＪ）、３部のパラ−ｔｅｒｔ−オクチルフェノール（ＳＩ  Ｇｒｏｕｐ  Ｉｎｃ．、スケネクタディ、ＮＹ）及び４部のカルナバワックスを含む組成物を、カルナバワックスの融点を越える温度まで加熱することで混合した。得られた混合物を使用して１片のコピー用紙をコーティングし、次に室温まで冷却した。冷却されると混合物は固化して赤色のコーティングを形成した。１００℃を越える温度を有するヤシ油をこのコーティング上に滴下した。熱い油と接触したコーティングの部位は脱色された。この脱色した領域は、約−２２℃に設定した冷蔵庫で冷却しても元の色に戻らなかった。
なお一側面において、本発明は以下の発明を包含する。
（発明１）
変色性染料、前記変色性染料を活性化するためのカラーアクチベータ及びワックスを含み、前記変色性染料及び前記カラーアクチベータが活性化された変色性染料を形成する内方コアと、
前記内方コアを取り巻き且つ消色剤を含む外方コアと、
前記外方コアを取り巻くシェルとを含み、
前記活性化された変色性染料が、前記消色剤と接触すると変色可能である又は実質的な無色化が可能である、不可逆サーモクロミックカプセル。
（発明２）
消色剤及びワックスを含む内方コアと、
前記内方コアを取り巻き且つ変色性染料及び前記変色性染料を活性化するためのカラーアクチベータを含み、前記変色性染料及び前記カラーアクチベータが活性化された変色性染料を中で形成する外方コアと、
前記外方コアを取り巻くシェルとを含み、
前記活性化された変色性染料が、前記消色剤と接触すると変色可能である又は実質的な無色化が可能である、不可逆サーモクロミックカプセル。
（発明３）
前記内方コアが内方コア溶媒を更に含む、発明１〜２のいずれか一項に記載の不可逆サーモクロミックカプセル。
（発明４）
前記内方コア担体溶媒が、炭化水素及びハロ置換炭化水素から成る群から選択される、発明３に記載の不可逆サーモクロミックカプセル。
（発明５）
前記変色性染料がロイコ染料を含む、発明１〜４のいずれか一項に記載の不可逆サーモクロミックカプセル。
（発明６）
前記カラーアクチベータがフェノール化合物を含む、発明１〜５のいずれか一項に記載の不可逆サーモクロミックカプセル。
（発明７）
前記ワックスが、約５０〜約１２０℃、約６０〜約１１０℃、約８０〜約１２０℃、約９０〜約１１０℃及び／又は約７０〜約１００℃の融点を有する、発明１〜６のいずれか一項に記載の不可逆サーモクロミックカプセル。
（発明８）
前記ワックスが、パラフィンワックス、精製又は完全精製パラフィンワックス、スラックワックス、スケールワックス、マイクロクリスタリンワックス、ポリエチレンワックス、ポリプロピレンワックス、ワセリン、ホワイトオイル、リサイクルワックス及びこれらの組み合わせから成る群から選択される、発明１〜７のいずれか一項に記載の不可逆サーモクロミックカプセル。
（発明９）
前記消色剤が、エステル、二塩基性エステル、エーテル、アルコール、多価アルコール、ケトン、スルホラン、スルホン、スルホキシド、カーボネート、ホルメート、シリコーン、アミン及びこれらの組み合わせから選択される、発明１〜８のいずれか一項に記載の不可逆サーモクロミックカプセル。
（発明１０）
前記消色剤がヤシ油を含む、発明１〜９のいずれか一項に記載の不可逆サーモクロミックカプセル。
（発明１１）
前記シェルがポリマーを含む、発明１〜１０のいずれか一項に記載の不可逆サーモクロミックカプセル。
（発明１２）
前記ポリマーが、ポリウレア、ポリアミド、ポリエステル、ポリウレタン及びこれらの混合物から成る群から選択される、発明１１に記載の不可逆サーモクロミックカプセル。
（発明１３）
担体と、
発明１〜１２のいずれか一項に記載の不可逆サーモクロミックカプセルとを含む、不可逆サーモクロミックインク。
（発明１４）
担体と、
前記担体に分散又は溶解させた変色性染料と、
前記担体に分散又は溶解させたカラーアクチベータと、
前記担体に分散させたワックス系組成物とを含み、
前記変色性染料及び前記カラーアクチベータが前記担体中で活性化された変色性染料を形成し、
前記ワックス系組成物がワックス及び消色剤を含む、不可逆サーモクロミックインク。
（発明１５）
担体と、
前記担体に分散又は溶解させた消色剤と、
前記担体に分散させたワックス系組成物とを含み、
前記ワックス系組成物がワックス、変色性染料及びカラーアクチベータを含み、前記変色性染料及び前記カラーアクチベータが、前記ワックス系組成物中で活性化された変色性染料を形成する、不可逆サーモクロミックインク。
（発明１６）
消色剤と、
前記消色剤中に分散させたワックス系組成物とを含み、
前記ワックス系組成物がワックス、変色性染料及びカラーアクチベータを含み、前記変色性染料及び前記カラーアクチベータが前記ワックス系組成物中で活性化された変色性染料を形成する、不可逆サーモクロミックインク。
（発明１７）
前記担体が、溶媒、樹脂又はこれらの混合物を含む、発明１３〜１５のいずれか一項に記載の不可逆サーモクロミックインク。
（発明１８）
前記変色性染料がロイコ染料を含む、発明１４〜１６のいずれか一項に記載の不可逆サーモクロミックインク。
（発明１９）
前記カラーアクチベータがフェノール化合物を含む、発明１４〜１７のいずれか一項に記載の不可逆サーモクロミックインク。
（発明２０）
前記消色剤がヤシ油を含む、発明１４〜１８のいずれか一項に記載の不可逆サーモクロミックインク。
（発明２１）
殺生物剤、表面張力調節剤、相乗作用性樹脂、界面活性剤、湿潤剤、分散剤及びこれらの混合物から成る群から選択される少なくとも１種の添加剤を更に含む、発明１３〜２０のいずれか一項に記載の不可逆サーモクロミックインク。
（発明２２）
発明１３に記載の不可逆サーモクロミックインクを使用して書き込み、前記書き込みが複数のサーモクロミック顔料カプセルを含み、
前記複数の不可逆サーモクロミック顔料カプセルを含む前記書かれたものを、ワックスの融点より高い温度にまで加熱することで消色剤をカラーアクチベータ及び変色性染料と相互作用させ、それによって前記変色性染料が変色する又は実質的な無色になることを含む、書かれたものを消去する方法。
（発明２３）
発明１４〜２１のいずれか一項に記載の不可逆サーモクロミックインクを使用して書き込み、
前記書かれたものを、ワックスの融点より高い温度にまで加熱することで消色剤をカラーアクチベータ及び変色性染料と相互作用させ、それによって前記変色性染料が変色する又は実質的な無色になることを含む、書かれたものを消去する方法。
（発明２４）
前記ワックスの融点より高い温度にまで加熱することが、力指向性要素を前記書かれたものにあてることで前記力指向性要素と前記書かれたものとの間で摩擦を生じさせることを含む、発明２２及び２３のいずれか一項に記載の方法。
（発明２５）
発明１２〜２１のいずれか一項に記載の不可逆サーモクロミックインクを含む筆記具。
（発明２６）
変色性染料、カラーアクチベータ及びワックスを、前記ワックスの融点より高い温度で混合して実質的に均質な混合物を形成し、前記ワックスの融点が５０℃より高く、
前記混合物を冷却して固形内方コアを形成し、
前記固形内方コアを消色剤でコーティングして前記内方コアを取り巻く外方コアを形成し、前記コーティングステップを前記ワックスの融点より低い温度で行い、
前記内方コア及び前記外方コアをシェルにカプセル封入することを含む、サーモクロミックカプセルの形成方法。
（発明２７）
消色剤をワックスと、前記ワックスの融点より高い温度で混合して実質的に均質な混合物を調製し、前記ワックスの融点が５０℃より高く、
前記混合物を冷却して固形内方コアを形成し、
前記固形内方コアを変色性染料及びカラーアクチベータを含む混合物でコーティングして前記内方コアを取り巻く外方コアを形成し、
前記コーティングステップを前記ワックスの融点より低い温度で行い、
前記内方コア及び前記外方コアをシェルにカプセル封入することを含む、サーモクロミックカプセルの形成方法。